【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
第１情報を保持する近距離無線通信ユニットを備える通信装置であって、
外部装置から前記近距離無線通信ユニットに対する第２情報の書き込みを受け付ける受け付け手段と、
前記受け付けられた前記第２情報に従って前記通信装置の処理モードを変更する変更手段と、
前記近距離無線通信ユニットに書き込まれた前記第２情報を、前記近距離無線通信ユニットに前記第２情報が書き込まれる前に前記近距離無線通信ユニットに保持されていた前記第１情報に更新する更新手段を有することを特徴とする通信装置。
【請求項２】
前記第２情報に処理モードの変更を示す情報が含まれている場合、前記変更手段は、前記第２情報に従ってネットワークの処理モードを変更することを特徴とする請求項１に記載の通信装置。
【請求項３】
前記第２情報が前記近距離無線通信ユニットの特定の領域に書き込まれた場合、前記変更手段が、ネットワークの処理モードを変更することを特徴とする請求項１に記載の通信装置。
【請求項４】
前記変更された処理モードにて印刷ジョブを受信した後、前記変更手段は、前記変更された処理モードを変更される前の処理モードに戻すことを特徴とする請求項１乃至３のいずれか１項に記載の通信装置。
【請求項５】
前記第２情報が認識されるまで前記近距離無線通信ユニットを用いた近距離無線通信が無効化されることを特徴とする請求項１乃至４のいずれか１項に記載の通信装置。
【請求項６】
前記第２情報が認識された後、前記無効化された前記近距離無線通信ユニットを用いた近距離無線通信を有効化する請求項５に記載の通信装置。
【請求項７】
前記処理モードは、通信モードであることを特徴とする請求項１乃至６のいずれか１項に記載の通信装置。
【請求項８】
前記第２情報を取得する取得手段を更に有し、
前記第２情報が取得された場合、前記更新手段は、前記近距離無線通信ユニットに書き込まれた前記第２情報を前記第１情報に更新することを特徴とする請求項１乃至７のいずれか１項に記載の通信装置。
【請求項９】
前記変更された処理モードにて受信した印刷ジョブに基づいて印刷処理を実行する印刷手段を更に備えることを特徴とする請求項１乃至８のいずれか１項に記載の通信装置。
【請求項１０】
前記第１情報は、前記通信装置と通信するための通信情報を含むことを特徴とする請求項１乃至９のいずれか１項に記載の通信装置。
【請求項１１】
前記第１情報は、ＳＳＩＤ、前記通信装置のパスワード、前記通信装置のモデル名、前記通信装置のＭＡＣ  ＡＤＤＲＥＳＳ及び前記通信装置の機能のうち少なくとも１つを含むことを特徴とする請求項１乃至１０のいずれか１項に記載の通信装置。
【請求項１２】
前記第２情報は、前記通信装置のアクセスポイントを有効化するための情報を含み、
前記受け付けられた前記第２情報に従って、前記通信装置のアクセスポイントが有効化されることで、前記処理モードが変更されることを特徴とする請求項１乃至１１のいずれか１項に記載の通信装置。
【請求項１３】
前記第１情報を読み取った外部装置と、前記近距離無線通信ユニットによる通信と通信速度が異なる他の無線通信ユニットによって通信する通信手段を更に備えることを特徴とする請求項１乃至１２のいずれか１項に記載の通信装置。
【請求項１４】
前記他の無線通信ユニットは、無線ＬＡＮによって通信することを特徴とする請求項１３に記載の通信装置。
【請求項１５】
前記第２情報を書き込むための書き込み要求を前記近距離無線通信ユニットが前記外部装置から受け付けた場合、前記近距離無線通信ユニットに保持されている情報を、前記近距離無線通信ユニットでないメモリーに退避させる退避手段と、を更に有し、
前記更新手段は、前記近距離無線通信ユニットに書き込まれた前記書込み情報を、前記退避手段によって退避させられた情報に更新することを特徴とする請求項１乃至１４のいずれか１項に記載の通信装置。
【請求項１６】
前記近距離無線通信ユニットは、Ｎｅａｒ  Ｆｉｅｌｄ  Ｃｏｍｍｕｎｉｃａｔｉｏｎによって通信することを特徴とする請求項１乃至１５のいずれか１項に記載の通信装置。
【請求項１７】
前記近距離無線通信ユニットは、ＮＤＥＦフォーマットを使用することを特徴とする請求項１乃至１６のいずれか１項に記載の通信装置。
【請求項１８】
前記通信装置の底面に対して略垂直な面以外の面に、前記近距離無線通信ユニットが設置されていることを特徴とする請求項１乃至１７のいずれか１項に記載の通信装置。
【請求項１９】
前記近距離無線通信ユニットが配置されている前記通信装置の第１面と、原稿台が配置されている前記通信装置の第２面と、によってなされる角度を変更可能であることを特徴とする請求項１乃至１８のいずれか１項に記載の通信装置。
【請求項２０】
第１情報を保持する近距離無線通信ユニットを備える通信装置において実行される制御方法であって、
外部装置から前記近距離無線通信ユニットに対する第２情報の書き込みを受け付ける受け付け工程と、
前記受け付けられた前記第２情報に従って前記通信装置の処理モードを変更する変更工程と、
前記近距離無線通信ユニットに書き込まれた前記第２情報を、前記近距離無線通信ユニットに前記第２情報が書き込まれる前に前記近距離無線通信ユニットに保持されていた前記第１情報に更新する更新工程を有することを特徴とする制御方法。
【請求項２１】
第１情報を保持する近距離無線通信ユニットを備える通信装置で実行されるプログラムであって、
外部装置から前記近距離無線通信ユニットに対する第２情報の書き込みを受け付ける受け付け工程と、
前記受け付けられた前記第２情報に従って前記通信装置の処理モードを変更する変更工程と、
前記近距離無線通信ユニットに書き込まれた前記第２情報を、前記近距離無線通信ユニットに前記第２情報が書き込まれる前に前記近距離無線通信ユニットに保持されていた前記第１情報に更新する更新工程を
前記通信装置に実行させるためのプログラム。
【請求項２２】
前記第２情報に処理モードの変更を示す情報が含まれている場合、前記第２情報に従ってネットワークの処理モードが変更されることを特徴とする請求項２１に記載のプログラム。
【請求項２３】
前記第２情報が前記近距離無線通信ユニットの特定の領域に書き込まれた場合、ネットワークの処理モードが変更されることを特徴とする請求項２１に記載のプログラム。
【請求項２４】
前記変更された処理モードにて印刷ジョブを受信した後、前記変更された処理モードを変更される前の処理モードに戻すことを特徴とする請求項２１乃至２３のいずれか１項に記載のプログラム。
【請求項２５】
前記第２情報が認識されるまで前記近距離無線通信ユニットを用いた近距離無線通信が無効化されることを特徴とする請求項２１乃至２４のいずれか１項に記載のプログラム。
【請求項２６】
前記第２情報が認識された後、前記無効化された前記近距離無線通信ユニットを用いた近距離無線通信を有効化する請求項２５に記載のプログラム。
【請求項２７】
前記処理モードは、通信モードであることを特徴とする請求項２１乃至２６のいずれか１項に記載のプログラム。
【請求項２８】
前記第２情報を取得する取得工程を更に有し、
前記第２情報が取得された場合、前記近距離無線通信ユニットに書き込まれた前記第２情報は前記第１情報に更新されることを特徴とする請求項２１乃至２７のいずれか１項に記載のプログラム。
【請求項２９】
前記変更された処理モードにて受信した印刷ジョブに基づいて印刷処理を実行する印刷工程を更に備えることを特徴とする請求項２１乃至２８のいずれか１項に記載のプログラム。
【請求項３０】
前記第１情報は、前記通信装置と通信するための通信情報を含むことを特徴とする請求項２１乃至２９のいずれか１項に記載のプログラム。
【請求項３１】
前記第１情報は、ＳＳＩＤ、前記通信装置のパスワード、前記通信装置のモデル名、前記通信装置のＭＡＣ  ＡＤＤＲＥＳＳ及び前記通信装置の機能のうち少なくとも１つを含むことを特徴とする請求項２１乃至３０のいずれか１項に記載のプログラム。
【請求項３２】
前記第２情報は、前記通信装置のアクセスポイントを有効化するための情報を含み、
前記受け付けられた前記第２情報に従って、前記通信装置のアクセスポイントが有効化されることで、前記処理モードが変更されることを特徴とする請求項２１乃至３１のいずれか１項に記載のプログラム。
【請求項３３】
前記第１情報を読み取った外部装置と、前記近距離無線通信ユニットによる通信と通信速度が異なる他の無線通信ユニットによって通信する通信工程を前記通信装置に更に実行させることを特徴とする請求項２１乃至３２のいずれか１項に記載のプログラム。
【請求項３４】
前記他の無線通信ユニットは、無線ＬＡＮによって通信することを特徴とする請求項３３に記載のプログラム。
【請求項３５】
前記第２情報を書き込むための書き込み要求を前記近距離無線通信ユニットが前記外部装置から受け付けた場合、前記近距離無線通信ユニットに保持されている情報を、前記近距離無線通信ユニットでないメモリーに退避させる退避手段と、を更に有し、
前記更新手段は、前記近距離無線通信ユニットに書き込まれた前記書込み情報を、前記退避手段によって退避させられた情報に更新することを特徴とする請求項２１乃至３４のいずれか１項に記載のプログラム。
【請求項３６】
前記近距離無線通信ユニットは、Ｎｅａｒ  Ｆｉｅｌｄ  Ｃｏｍｍｕｎｉｃａｔｉｏｎによって通信することを特徴とする請求項２１乃至３５のいずれか１項に記載のプログラム。
【請求項３７】
前記近距離無線通信ユニットは、ＮＤＥＦフォーマットを使用することを特徴とする請求項２１乃至３６のいずれか１項に記載のプログラム。
【請求項３８】
前記通信装置の底面に対して略垂直な面以外の面に、前記近距離無線通信ユニットが設置されていることを特徴とする請求項２１乃至３７のいずれか１項に記載のプログラム。
【請求項３９】
前記近距離無線通信ユニットが配置されている前記通信装置の第１面と、原稿台が配置されている前記通信装置の第２面と、によってなされる角度を変更可能であることを特徴とする請求項２１乃至３８のいずれか１項に記載のプログラム。